(57)【要約】      （修正有）【課題】ガスタービンシステムにおいて、流動流体の共振を調節可能に減衰させることで燃焼状態を調節し、それによって可燃性を高め、火炎の安定性を改善し、排出物を低減し、かつ燃焼ダイナミクスを制御することを支援するシステムおよび方法を提供する。【解決手段】システム１１は、燃焼室１７と燃焼室１７への流体流れを供給するように構成された燃焼器供給通路とを有する燃焼器１２を含む。システム１１は、流体流れの少なくとも一部分を受け取るように構成された共振器１３も含む。共振器１３は、共振器１３の減衰周波数を変化させるように構成された周波数調節器を備える。【選択図】図１
2016200386.tif 000002
【特許請求の範囲】
【請求項１】
燃焼室（１７）と前記燃焼室（１７）への流体流れを供給するように構成された燃焼器供給通路とを有する燃焼器（１２）と、
前記流体流れの少なくとも一部分を受け取るように構成された共振器（１３）であって、前記共振器（１３）の減衰周波数を変化させるように構成された周波数調節器（６２）を備える共振器（１３）とを備える、システム（１０）。
【請求項２】
前記燃焼器（１２）がガスタービン燃焼器を備える、請求項１記載のシステム（１０）。
【請求項３】
前記ガスタービン燃焼器を有するガスタービンエンジンを備える、請求項２記載のシステム（１０）。
【請求項４】
前記燃焼器供給通路が、前記ガスタービン燃焼器のヘッド側チャンバ（３３）、燃焼器ライナ（３４）と流れスリーブ（３５）の間の通路、またはそれらの組合せを備える、請求項２記載のシステム（１０）。
【請求項５】
前記流体流れが酸化剤を含む、請求項１記載のシステム（１０）。
【請求項６】
前記周波数調節器（６２）が、前記共振器（１３）の管（６０）の中に配設されたピストン（６６）を備える、請求項１記載のシステム（１０）。
【請求項７】
前記周波数調節器（６２）が、前記管（６０）の中の前記ピストン（６６）の位置を調節して前記共振器（１３）の共振器チャンバ（６４）を変化させるように構成されたアクチュエータ（７０）を備える、請求項６記載のシステム（１０）。
【請求項８】
前記アクチュエータ（７０）が、電気的駆動機構、空圧駆動機構、液圧駆動機構、またはそれらの組合せを備える、請求項７記載のシステム（１０）。
【請求項９】
前記アクチュエータ（７０）が、ガスを供給して前記ピストン（６６）の位置を変化させるように構成されたガス供給源と、前記ガスの供給を制御して前記ピストン（６６）に対して第１の方向（１００）にバイアスをかけるように構成された制御弁（１１２）と、前記ガスの放出を制御して、前記ピストン（６６）の第２の方向（１０２）の移動を可能にするように構成されたリリース弁（１１８）とを有する空圧システム（１１０）を備える、請求項６記載のシステム（１０）。
【請求項１０】
前記周波数調節器（６２）が、前記ピストン（６６）にバイアスをかけるように構成されたばね（１３２）を備える、請求項６記載のシステム（１０）。
【請求項１１】
前記周波数調節器（６２）が、前記ばね（１３２）および前記ピストン（６６）に対して移動するように構成された圧縮部材（１３４）を備える、請求項１０記載のシステム（１０）。
【請求項１２】
前記周波数調節器（６２）が、前記ピストン（６６）と前記アクチュエータ（７０）の間に、ウォームギアセット、ラックアンドピニオンギアセット、またはそれらの組合せを備える、請求項７記載のシステム（１０）。
【請求項１３】
前記共振器（１３）の第１の軸方向端部（３８、７８）に配置された穿孔（１０８）を有するプレート（１０６）であって、前記穿孔（１０８）が前記共振器（１３）に入る流体流れの粘性減衰を引き起こすように構成されているプレート（１０６）を備える、請求項１記載のシステム（１０）。
【請求項１４】
前記周波数調節器（６２）に対して通信で結合され、前記周波数調節器（６２）に対して前記共振器（１３）の前記減衰周波数を変化させるための命令を送るように構成されているコントローラ（５２）を備える、請求項１記載のシステム（１０）。
【請求項１５】
燃焼器（１２）の燃焼室（１７）に供給される流体流れの少なくとも一部分を受け取るように構成された共振器（１３）であって、前記共振器（１３）の減衰周波数を変化させるように構成された周波数調節器（６２）を備える共振器（１３）と、
データおよび命令を記憶するように構成されたプロセッサ（５６）に対して動作可能に結合された記憶装置（５４）を備えるコントローラ（５２）であって、前記周波数調節器（６２）に対して、前記共振器（１３）の前記減衰周波数を変化させるための命令を伝送するように構成されているコントローラ（５２）とを備える、システム（１０）。
【請求項１６】
前記コントローラ（５２）に対して通信で結合されたセンサ（４８、５０）であって、前記センサ（４８、５０）が、前記燃焼器（１２）および前記共振器（１３）を有するガスタービンシステム（１０）の動作パラメータを示す信号を前記コントローラ（５２）へ送り、前記コントローラ（５２）が、前記動作パラメータに基づいて、前記周波数調節器（６２）に対して前記減衰周波数を変化させるように命令するように構成されているセンサ（４８、５０）を備える、請求項１５記載のシステム（１０）。
【請求項１７】
前記周波数調節器（６２）が、前記共振器（１３）の管（６０）内に配設されたピストン（６６）と、前記管（６０）内の前記ピストン（６６）の位置を調節して前記共振器（１３）の共振器チャンバ（６４）を変化させるように構成されたアクチュエータ（７０）とを備え、前記コントローラ（５２）が、前記アクチュエータ（７０）に対して通信で結合されている、請求項１５記載のシステム（１０）。
【請求項１８】
燃焼器（１２）の燃焼室（１７）に流体流れを供給するように構成された燃焼器供給通路に対して結合された共振器（１３）の減衰周波数を調節するステップであって、前記共振器（１３）が前記流体流れの少なくとも一部分を受け取るように構成されているステップを含む方法。
【請求項１９】
前記調節するステップが、前記共振器（１３）の管（６０）内に配設されたピストン（６６）の移動を起動して共振器チャンバ（６４）の長さを変化させるステップを含む、請求項１８記載の方法。
【請求項２０】
前記調節するステップが、前記燃焼器（１２）および前記共振器（１３）を有するガスタービンシステム（１０）の少なくとも１つの動作パラメータを示すセンサフィードバックに対して応答するステップを含む、請求項１８記載の方法。
【請求項２１】
前記流体流れが、前記燃焼器（１２）の前記燃焼室（１７）に供給される酸化剤流れを含む、請求項１８記載の方法。
【発明の詳細な説明】
【技術分野】
【０００１】
本明細書で開示される主題はガスタービンシステムに関し、より詳細には共振を減衰させるためのシステムおよび方法に関する。
【背景技術】
【０００２】
ガスタービンシステムは、一般に、圧縮機部分と、燃焼器部分と、タービン部分とを有するガスタービンエンジンを含む。燃焼器部分が含み得る１つまたは複数の燃焼器（たとえば燃焼筒）は、燃料を受け取って、各燃焼器の燃焼室の中で酸化剤（たとえば空気）とともに燃焼させる。各燃焼器において燃焼が生じるとき、高温の燃焼ガスが、タービン部分における１つまたは複数のタービン段に流れ込んで駆動する。残念ながら、ガスタービンシステムは、酸化剤、燃料、または燃焼器に供給される他の流体の共振周波数など、様々な駆動体による共振挙動の影響を受けやすい可能性がある。時間が経つにつれて、ガスタービンシステムにおいて共振周波数が変化する可能性がある。
【先行技術文献】
【特許文献】
【０００３】
【特許文献１】米国特許第８９６６９０９号公報
【発明の概要】
【０００４】
元々特許請求された開示の範囲に相応する特定の実施形態が以下で要約される。これらの実施形態は、特許請求された開示の範囲を限定するように意図されたものではなく、単に本開示の可能な形態の概要を提供するように意図されている。実際、本開示は、以下で説明される実施形態と類似の、または異なる、様々な形態を包含し得るものである。
【０００５】
第１の実施形態では、システムは、燃焼室と燃焼室への流体流れを供給するように構成された燃焼器供給通路とを有する燃焼器を含む。システムは、流体流れの少なくとも一部分を受け取るように構成された共振器も含む。共振器は、共振器の減衰周波数を変化させるように構成された周波数調節器を備える。
【０００６】
第２の実施形態では、システムは、燃焼器の燃焼室に供給される流体流れの少なくとも一部分を受け取るように構成された共振器を含む。共振器は、共振器の減衰周波数を変化させるように構成された周波数調節器を含む。システムは、データおよび命令を記憶するように構成されたプロセッサに対して動作可能に結合されたメモリを備えるコントローラも含む。コントローラは、周波数調節器に対して、共振器の減衰周波数を変化させるための命令を伝送するように構成されている。
【０００７】
第３の実施形態では、方法は、燃焼器の燃焼室に流体流れを供給するように構成された燃焼器供給通路に結合された共振器の減衰周波数を調節するステップを含む。共振器は、流体流れの少なくとも一部分を受け取るように構成されている。
【０００８】
本開示の、これらおよび他の特徴、態様、および利点は、添付図面を参照しながら以下の詳細な説明を解読すれば一層よく理解されるはずであり、各図面を通じて、同じ符号は同じ部品を表す。
【図面の簡単な説明】
【０００９】
【図１】複数の共振器（たとえば可調共振器）を伴う共振減衰システムを有するガスタービンシステムの一実施形態の概略図である。
【図２】複数の共振器（たとえば可調共振器）を伴う共振減衰システムを有する燃焼器の一実施形態の半径方向の概略断面図である。
【図３】調節機構を有する可調共振器の一実施形態の軸方向の断面図である。
【図４】調節機構を有する可調共振器の一実施形態の軸方向の断面図である。
【図５】調節機構を有する可調共振器の一実施形態の軸方向の断面図である。
【図６】調節機構を有する可調共振器の一実施形態の軸方向の断面図である。
【図７】可調共振器の減衰長を調節する方法の一実施形態の流れ図である。
【発明を実施するための形態】
【００１０】
本開示の１つまたは複数の特定の実施形態を以下で説明する。これらの実施形態の簡潔な説明を提供するために、本明細書は、実際の実装形態の特徴のすべてを説明しているわけではなくてよい。何らかの工学または設計プロジェクトのような、何らかのこのような実際の実装形態の開発では、開発者の特定の目標を達成するためには、実装形態ごとに変化する可能性のあるシステム関連および業務関連の制約の順守など、多数の実装時固有の判断を下さなければならないことを理解されたい。その上、このような開発努力は、複雑かつ時間のかかることであるが、それにもかかわらず、本開示の利益を有する当業者については、設計、組立て、製造の型通りの仕事になるはずであることを理解されたい。
【００１１】
本開示の様々な実施形態の要素を導入するとき、「ａ（１つの）」、「ａｎ（１つの）」、「ｔｈｅ（その）」、および「ｓａｉｄ（前記）」という冠詞は、その要素の１つまたは複数を意味するように意図されている。「ｃｏｍｐｒｉｓｉｎｇ（備える、含む）」、「ｉｎｃｌｕｄｉｎｇ（含む）」、および「ｈａｖｉｎｇ（有する）」という用語は、包括的であるように意図され、列挙された要素以外にさらなる要素があり得ることを意味する。
【００１２】
本開示の実施形態が対象とするシステムおよび方法は、流動流体（たとえば燃料、空気などの酸化剤、水蒸気、窒素などの不活性ガス、燃焼ガス、またはそれらの任意の組合せ）の共振を調節可能に減衰させることで燃焼状態を調節し、それによって可燃性を高め、火炎の安定性を改善し、排出物を低減し、かつ燃焼ダイナミクスを制御することを支援するためのものである。たとえば、ガスタービンシステムは、環状燃焼器または回転軸のまわりで周方向に間隔を置いて配置された複数の環状多筒形燃焼器などの１つまたは複数の燃焼器に関連した共振減衰システムを含み得る。共振減衰システムは、各燃焼器に関連した１つまたは複数の共振器（たとえば可調共振器）を含み得る。たとえば、共振器は、燃焼器の上流から、内部に、または下流から流れる流体などの１つまたは複数の流体流れ（たとえば気体および／または液体の流れ）に関連した共振周波数成分を減衰させるかまたは抑制するように構成されてよい。流体流れは、燃料（たとえば液体および／または気体の燃料）、酸化剤（たとえば酸素、空気、酸素を豊富に含む空気、酸素を低減された空気、または何らかの他の酸素含有混合物）、水蒸気、不活性ガス（たとえば窒素）、再循環された排気ガス、またはそれらの任意の組合せの供給を含み得る。流体流れは燃焼ガスも含み得る。しかしながら、以下の説明および図示された実施形態では、共振器は、燃焼器の上流の、燃焼器における、または燃焼器の内部の酸化剤流れ（たとえば空気流れ）の文脈において示される。たとえば、共振器は、（たとえば酸化剤流れの）燃焼器のライナと流れスリーブの間の流れ、燃焼器のヘッド側チャンバを通る流れ、またはそれらの任意の組合せと流体連通して取り付けられてよい。共振器は、共振器の減衰長に沿った流体流れの少なくとも一部分の方向を変えて、共振周波数成分を減衰させ、抑制を引き起こす。特定の実施形態では、減衰長は、特に選択された周波数に対応する。
【００１３】
共振器は、ガスタービンシステムの動作前、動作中、および／または動作後に共振器の１つまたは複数のパラメータを調節するように構成された調節機構（たとえば周波数調節器）を含み得、それによって、共振器を、時間とガスタービンシステムの使用とに伴って変化し得る共振周波数に適応させる。特定の実施形態では、共振器は、可調長さを有する１／４波長管（ＱＷＴ）共振器を含む。他の実施形態では、共振器は、共振器の減衰周波数を変化させるための調節装置を有する他のタイプの共振器を含み得る。たとえば、調節機構により、生産中、運用テストおよび調整の間、通常動作中、休止時間中、点検もしくは保守整備の間、または何らかの他の適切な時間における共振器の容積（たとえば長さ）の調節が可能になり得、したがって共振器の減衰周波数の調節が可能になり得る。たとえば、調節機構は、手動調節器および／または自動もしくは半自動の調節器などの動力を備えた調節器を含み得る。動力を備えた調節器は制御システムおよび監視システムにも結合されてよく、それによって、ガスタービンシステムにおける共振周波数の変化に応じた自動調節を可能にするのを支援する。たとえば、調節機構は、燃焼器の様々な動作条件を監視するセンサから受け取った信号に基づいて減衰長を調節してよい。その結果、共振器を調整すると排出が安定化され、燃焼ダイナミクスが低減され、かつ／または燃焼状態が安定化され得る。
【００１４】
前述のことを念頭において、図１は、燃焼器部分の１つまたは複数の燃焼器１２に関連した共振減衰システム１１（たとえば可調共振減衰システム）を有するガスタービンシステム１０の一実施形態の概略図である。以下で論じられるように、共振減衰システム１１は、燃焼器１２、燃焼器１２に通じる供給通路、または任意の適切な位置に直接結合された複数の共振器１３（たとえば周波数可調共振器）を含み得る。たとえば、共振減衰システム１１は、ヘッド側部分１４および／または燃焼部分１５に沿った酸化剤（たとえば空気）流路に沿うなどして各燃焼器１２のヘッド側部分１４および／または燃焼部分１５に結合された共振器１３を含み得る。特定の実施形態では、１つまたは複数の共振器１３が、燃焼器１２のヘッド側部分１４に取り付けられた燃料ノズル１６の上流の酸化剤流路に結合されてよい。しかしながら、特定の実施形態では、１つまたは複数の共振器１３が、燃焼器１２のヘッド側部分１４における燃料ノズル１６に結合されてよく、燃料ノズル１６から下流の燃焼部分１５の内部の燃焼室１７に流体結合されてよく、またはそれらの任意の組合せでもよい。
【００１５】
燃焼器１２は、タービンシステム１０の回転軸のまわりで周方向に延在する単一の環状燃焼器を表し得る。さらなる例によれば、燃焼器１２は、タービンシステム１０の回転軸のまわりで周方向に間隔を置いて配置された複数（たとえば２、３、４、５、６、７、８、９、または１０以上）の燃焼器を表し得る。特定の実施形態では、タービンシステム１０に任意数の（たとえば１から２０まで、またはそれよりも多数の）燃焼器１２が設けられてよい。共振減衰システム１１の共振器１３は、各燃焼器１２に対して均一な構成または不均一な構成で結合されてよく、共振器１３の構成は１つの燃焼器１２から別の燃焼器へと均一であるかまたは不均一であり得る。たとえば、共振器１２の数、間隔、および減衰周波数は、１つの燃焼器１２から別の燃焼器へと同一であるかまたは異なり得る。
【００１６】
タービンシステム１０は、タービンシステム１０を駆動するのに、液体燃料あるいは天然ガスおよび／または合成ガスなどの気体燃料を使用してよい。図示の実施形態では、１つまたは複数の燃料ノズル１６（たとえば１次燃料ノズル、１つまたは複数の４つ組の噴射器またはペグ、ならびに／あるいは１つまたは複数の遅延希薄噴射器）は、燃料１８の供給（たとえば液体燃料の供給、気体燃料の供給、液体／気体の混合燃料の供給）を取り入れる。複数の燃焼器１２の各々が、１つまたは複数（たとえば１、２、３、４、５、または６以上）の燃料ノズル１６を含む。燃料１８の例には、それだけではないが、ディーゼル燃料、ジェット燃料、ガソリン、ナフサ、重油、液化石油ガスなどの炭化水素ベースの液体燃料が含まれる。その上、燃料１８は、天然ガス、合成ガスなどの炭化水素ベースの気体燃料を含み得る。図示の実施形態では、タービンシステム１０は、燃料ノズル１６の上流の燃料通路２０に沿って燃料１８を送ってよい。特定の実施形態では、燃料ノズル１６は予混合燃料ノズルおよび／または拡散火炎燃料ノズルを含み得る。たとえば、燃料ノズル１６は、燃料１８を酸化剤（たとえば空気）と予混合して予混合火炎を生成してよく、かつ／または燃料１８と酸化剤を別々に燃焼器１２へ流して拡散火炎を生成してよい。
【００１７】
燃料１８は、燃焼器１２の各々の内部の燃焼室１７で酸化剤（たとえば空気）とともに燃焼し、それによって高温で高圧の排気ガスを生成する。燃焼器１２は、排気ガスを、タービンまたはタービン部分２２を通して排気口２４の方へ導く。タービン部分２２に含まれ得る１つまたは複数（たとえば１、２、３、４、５、６、７、８、９、または１０以上）のタービン段は、それぞれが、タービンロータおよびシャフト２６に結合された複数のタービンブレードを有する。排気ガスは、タービン２２を通過するとき、タービンシステム１０の回転軸に沿ったシャフト２６を回転させるようにタービンブレードを押し進める。図示のように、シャフト２６は、圧縮機または圧縮機部分２８を含むタービンシステム１０の様々な構成要素に接続されている。圧縮機部分２８に含まれ得る１つまたは複数（たとえば１、２、３、４、５、６、７、８、９、または１０以上）の圧縮機段は、それぞれが、圧縮機のロータおよびたとえばシャフト２６といったシャフトに結合された複数の圧縮機ブレードを有する。シャフト２６が回転するとき圧縮機２８内のブレードも回転し、それによって、酸化剤取入れ口（たとえば吸気口３０）からの酸化剤（たとえば空気）が、圧縮機２８を通って燃料ノズル１６および／または燃焼器１２へと圧縮される。シャフト２６は負荷３１にも接続されてよく、負荷３１は、たとえば発電装置の発電機または航空機のプロペラなど、輸送手段の負荷または定置負荷でよい。負荷３１は、タービンシステム１０の回転出力によって給電され得る任意の適切な装置も含んでよい。
【００１８】
以下の論考では、燃焼器１２の軸方向すなわち軸４２（たとえば前後軸）と、燃焼器１２の軸４２に対して半径方向に延在する半径方向すなわち軸４４と、燃焼器１２の軸４２のまわりで周方向に延在する周方向すなわち軸４６とが参照されてよい。以下で詳細に論じられるように、特定の実施形態では、タービンシステム１０は、共振器１３Ａ、１３Ｂ、１３Ｃ、および１３Ｄによって示されたものなど、燃焼器１２上の様々な位置に配置された可調共振器１３（たとえば１／４波長管共振器）を含む。たとえば、共振器１３は、燃焼器１２に沿った流路３２（たとえば燃焼室１７の外部）、ヘッド側部分１４のヘッド側チャンバ３３、またはそれらの組合せと流体連通して各燃焼器１２に結合されてよい。たとえば、流路３２は、ヘッド側チャンバ３３、および圧縮機２８からの圧縮機解放チャンバと流体連通していてよく、それによって、圧縮ガス流れ（たとえば空気などの圧縮された酸化剤）を、（たとえば冷却の目的で）燃焼器に沿った流路３２を通して送り、燃焼の目的で、ヘッド側チャンバ３３を通して（たとえば燃料ノズル１６によって）燃焼室１７の中へ送る。特定の実施形態では、流路３２および（たとえば燃料ノズル１６の上流の）ヘッド側チャンバ３３を通る流体流れは、酸化剤（たとえば空気、酸素、酸素を豊富に含む空気、酸素を低減された空気など）、排気再循環（ＥＧＲ）ガス、水蒸気、不活性ガス（たとえば窒素）、および／または若干の燃料（たとえば燃料ノズル１６の上流の２次燃料噴射）のうち任意の１つまたは複数を含んでよく、または除外してもよい。特定の実施形態では、流路３２は、燃焼室１７および／またはヘッド側チャンバ３３の少なくとも一部分のまわりで周方向に配設された第１の壁３４（たとえば燃焼器ライナ）など、燃焼器１２の境界を画定する少なくとも１つの壁のまわりで周方向に配設されてよい。流路３２は、第１の壁３４のまわりで周方向に配設された第２の壁３５（たとえば流れスリーブ）によって境界をつけられてもよい。第２の壁３５は、ヘッド側部分１４のヘッド側チャンバ３３のまわりで周方向に配設されてもよい。
【００１９】
図示の実施形態では、共振器１３（たとえば１３Ａ、１３Ｂ、１３Ｃ、および１３Ｄ）は、燃焼器１２の境界を画定する壁のうち少なくとも１つに結合されている。たとえば、共振器１３Ａは、ヘッド側チャンバ３３のまわりに配設された壁３５に結合されており、共振器１３Ｂは、ヘッド側チャンバ３３のまわりに配設された壁３５および／または燃焼器部分１５とヘッド側部分１４の間の遷移領域の流路３５に結合されており共振器１３Ｃおよび１３Ｄは、流路３５、第１の壁３４、および燃焼器部分１５の燃焼室１７に配設された壁３５に結合されている。さらに、図１に示されるように、共振器１３は、第１の（たとえば上流の）軸方向端部３８に隣接して、第２の（たとえば下流の）軸方向端部４０に隣接して、または第１の軸方向端部３８と第２の軸方向端部４０の間の様々な中間位置において、といった具合に燃焼器１２の軸方向長３６に沿った様々な軸方向の位置に配置されている。しかしながら、他の実施形態では、共振器１３は燃焼器１２の軸方向長３６に沿って配置されなくてもよい。たとえば、共振器１３は、共振周波数成分を減衰させるために、第１の軸方向端部３８および／またはヘッド側部分１４の近くにのみ、燃焼器１２の燃焼室１７への燃料および酸化剤の燃料ノズル１６および入口に対して近接近で（たとえば上流へ直接）配置されてよい。たとえば、特定の実施形態では、共振器１３（たとえば共振器１３Ａ）は、燃料ノズル１６に対して、隣接して、軸方向の上流に、かつ／または軸方向にオーバーラップして配置されてよい。共振器１３は、様々な半径方向の位置、様々な周方向の位置、様々な軸方向の位置、またはそれらの任意の組合せにおいて、互いから間隔を置いて配置されてもよい。図示の実施形態では、共振器１３は、吸気口３０からの流体流れの共振を、たとえば圧縮機２８を通過した後に減衰させるように構成されている。
【００２０】
タービンシステム１０は、共振減衰システム１１の共振器１３に関連した様々な監視および制御の装置も有し得る。図示の実施形態では、タービンシステム１０は、燃焼プロセス、酸化剤流れ、燃料流れ、タービン速度、圧縮機への供給、燃焼器温度、燃焼ダイナミクス、音響ノイズ、またはタービンシステム１０の動作の様々な他のパラメータを監視するための１つまたは複数のセンサ４８を含み得る。たとえば、燃焼器１２上で１つまたは複数の共振器１３の間に、１つまたは複数の振動センサ５０が配置されてよい。振動センサ５０は、燃焼器１２の内部の振動を検知し得る。たとえば、設定値レベルよりも高い振動は、共振器１３を調整すれば燃焼特性が改善される可能性があるという表示をもたらし得る。以下で説明されるように、特定の実施形態では、共振器１３は、ガスタービンシステム１０の動作前、動作中、および／または動作後の（たとえば保守整備中の）調整を可能にするように可調であり得る。
【００２１】
センサ４８、５０は、コントローラ５２（たとえば電子制御器）へ信号を送るように構成され得る。図示の実施形態では、コントローラ５２は記憶装置５４およびプロセッサ５６を含む。記憶装置５４は、大容量記憶デバイス、ＦＬＡＳＨメモリデバイス、リムーバブルメモリ、または何らかの他の不揮発性コンピュータ可読媒体でよい（たとえば信号のみではない）。それに加えて、またはその代わりに、命令は、前述のように、記憶装置５４に類似のやり方で、これらの命令またはルーチンを少なくともまとめて記憶する、少なくとも１つの有形の不揮発性コンピュータ可読媒体を含んでいる追加の適切な製品に記憶されてよい。コントローラ５２は、センサ４８、５０から、ガスタービンシステム１０の動作パラメータ（たとえば温度、圧力、燃料／空気比、音響、振動）を示す信号を受け取るように構成されてよい。信号は、記憶装置５４に記憶された命令を利用するプロセッサ５６によって評価されてよい。加えて、コントローラ５２は、センサ４８、５０から受け取った信号に基づいて（たとえば共振器１３に対する調節を含めて）ガスタービンシステム１０（たとえば共振器１３、吸気口３０、燃焼器１２など）の動作条件を調節するために、ガスタービンシステム１０の様々な構成要素に信号を送ってよい。
【００２２】
図２は、燃焼器１２の壁３５のまわりで周方向４６に配設された共振器１３を有する燃焼器１２の一実施形態の、半径方向の概略断面図である。図示の実施形態では、８つの共振器１３が、燃焼器１２の周囲５８に沿って実質的に対称に（たとえばほぼプラスまたはマイナス１５度の範囲内に）配置されている。しかしながら、他の実施形態では、壁３５のまわりで周方向４６に、より多数またはより少数の共振器１３が含まれ得る。たとえば、１、２、３、４、５、６、７、９、１０、１５、２０、３０、４０、５０または任意の適切な数（たとえば１〜１００）の共振器１３が、燃焼器１２上に配置されてよい。その上、共振器１３は、燃焼器１２の周囲５８に沿って様々な位置に配置されてよい。たとえば、特定の動作条件によって、燃焼器１２の一方の側の振動が増加することがある。その結果、空気流れを弱めるために、振動が増加した側に、より多くの共振器１３が配置されてよい。前述のように、振動センサ５０は、燃焼器１２の動作を示す信号を送るように、コントローラ５２に対して通信で結合されてよい。その上、図示の実施形態では、共振器１３は、コントローラ５２に対して通信で結合されている。以下で説明されるように、コントローラ５２は、燃焼器１２を調整するために、共振器１３に対して、動作前、動作中、および／または動作後に、調節するように命令してよい。
【００２３】
共振器１３は、動作中、吸気口３０からの空気流れの一部分を受け取って共振器１３の本体へ導くように構成されている。たとえば、図示の実施形態では、各共振器１３は、管６０における共振器チャンバ６４を変化させるための共振器管６０および調節機構６２（たとえば周波数調節器）を含んでおり、それによって共振器１３の減衰周波数を調節する。調節機構６２は、管６０の中に配設されたプランジャまたはピストン６６と、ピストン６６に結合された駆動軸またはロッド６８と、ロッド６８に結合されたアクチュエータ７０とを含み得る。また、各アクチュエータ７０はコントローラ５２結合されており、コントローラ５２によって制御される。管６０はシリンダを画定する中空の円筒管でよく、一方、ピストン６６は円筒状のピストンでよい。しかしながら、管６０およびピストン６６は他の形状を有してもよい。ピストン６６は、管６０の内壁に対して密閉するための１つまたは複数のシール（たとえば環状シールリング）も含み得る。アクチュエータ７０はロッド６８を移動させるように構成されており、その結果としてロッド６８が管６０の中のピストン６６を移動させる。アクチュエータ７０は、ハンドホイールなどの手動アクチュエータ、クランクレバー、工具接合面（たとえばレンチに対して整合するボルト頭）、または何らかの他の適切な手動起動機能を含み得る。アクチュエータ７０は、電気的駆動機構またはモータ、空圧駆動機構、液圧駆動機構、またはそれらの任意の組合せなど、動力を供給されるアクチュエータも含み得る。アクチュエータ７０は（たとえば手動で、動力を供給されて、またはその両方で）、ロッド６８の回転および／または軸方向運動を引き起こしてよく、このことが、結果としてピストン６６の軸方向運動を引き起こし、ピストン６６と、燃焼器１２の壁３５に沿う開いた内端部分との間の、管６０内の共振器チャンバ６４の減衰長７１を変化させる。
【００２４】
図示のように、共振器チャンバ６４の減衰長７１は、燃焼器１２の壁３５の周囲５８のまわりで、１つの共振器１３から別の共振器へと変化する。共振器１３の各々の共振器チャンバ６４の減衰長７１は、吸気口３０からの空気流れの一部分の特定の周波数成分または周波数成分の範囲を減衰させる（たとえば調整する）ように、特に選択される。したがって、図示の実施形態に示されるように、共振器１３は、様々な周波数成分を減衰させるために様々な減衰長を有し得る。しかしながら、図示の実施形態では、共振器１３のすべての間で、各管６０の全体の長さおよび直径は一定（または均一）でよく、それによって共振器１３を簡単に構成することが可能になり、一方、燃焼器１２に関する様々な周波数成分の減衰も依然として可能である。その結果、共振器１３の製造および運用に、類似部品が利用され得る。その上、共振器１３は、調節可能であるために、より広い周波数範囲にわたって利用され得、それによってガスタービンシステム１０における状況および共振周波数が変化するときの有用性が向上する。
【００２５】
図３は、調節機構６２を有する共振器１３の一実施形態の軸方向の側断面図である。図示の実施形態では、共振器１３の管６０は、全体的に円筒形の壁７２によって画定されたシリンダを含む。しかしながら、他の実施形態では、壁７２は楕円形でよく、多角形でよく、または類似の形状でもよい。壁７２は、図１および図２に示された壁３５など、燃焼器１２の側壁７４に結合するように構成されてよい。たとえば、壁７２は、側壁７４のはめ合いスレッドと係合するスレッドを含み得、それによって共振器１３を燃焼器１２に結合する。しかしながら、他の実施形態では、壁７２は、側壁７４に対して取外し可能な結合または固定連結で、溶接され、ボルトで固定され、クランプされ、またはそうでなければ結合されてよい。いくつかの実施形態では、管６０の壁７２は、燃焼器１２の側壁７４に対して一体化されたものとして、一体化して形成されてもよい。
【００２６】
図示の実施形態では、共振器１３は、たとえば管６０の全体の長さといった円筒部長さ７６を有し、共振器の前後軸８２に沿って第１の軸方向端部７８（たとえば先端開口部または表面）から第２の軸方向端部８０（たとえば先端開口部、密閉端、または表面）まで延在している。図示の実施形態では、共振器の前後軸８２は、燃焼器１２の前後軸４２に対して垂直であるかまたは実質的に垂直（たとえば９０度プラスまたはマイナス１度、２度、３度、４度、５度、６度、７度、８度、９度、または１０度）である。しかしながら、他の実施形態では、共振器の前後軸８２は、前後軸４２に対してある角度（たとえば１０度〜８０度、２０度〜７０度、３０度〜６０度、または４０度〜５０度）で交差するように配置されてよい。動作において、管６０の第１の軸方向端部７８（たとえば先端開口部）は、燃焼器１２に向けられた流体供給からガス流れ８４（たとえば空気などの酸化剤、ＥＧＲガス、水蒸気、窒素などの不活性ガス、気体燃料、混合気など）を受け取り共振器１３へと導く。特定の実施形態では、ガス流れ８４は、燃焼室１７からの直接的な燃焼ガスを除外するが、ヘッド側部分１４を通るものなど、燃焼室１７に向かう何らかの流体流れを含み得る。他の実施形態では、ガス流れ８４は、燃焼室１７からの直接的な燃焼ガスを含み得る。しかしながら、図示の実施形態では、ガス流れ８４は、吸気口３０から、少なくとも相当な量の（たとえば５０、６０、７０、８０、９０、または９５容積パーセントを上回る量の）、たとえば圧縮機２８によって圧縮された後の酸化剤流れを含み得る。前述のように、共振器１３は、ガス流れ８４におけるいずれかの共振周波数成分を減衰させることによって燃焼システムにおける共振を低減するように構成されている。図示の実施形態では、共振器１３がガス流れ８４を減衰させる周波数は、共振器１３の減衰長７１に直接関連づけられる。減衰長７１は、ガス流れ８４が、燃焼器１２の方へ反射される前に共振器１３を通って進み得る距離を表す。言い換えれば、減衰長８６は、共振器１３の管６０における、第１の軸方向端部７８とピストン６６の間の距離である。特定の実施形態では、減衰長７１は、円筒部長さ７６の０から１００、５から９５、１０から９０、１５から８５、および２０から８０パーセントの間で連続的または漸増的に（たとえば徐々に増やしていくやり方で）変化させてよい。たとえば、減衰長７１は、管６０の全体の円筒部長さ７６の約１、２、３、４、５、６、７、８、９、または１０パーセントずつ徐々に増やしていくやり方で変化させてよい。以下で説明されるように、共振器１３の減衰長７１は、様々な周波数成分に対する減衰を可能にするように調節され得る。
【００２７】
燃焼器１２における様々な周波数成分を減衰させるのが望ましいことであり得るので、調節機構６２（たとえばピストン６６、ロッド６８、およびアクチュエータ７０）は共振器１３の減衰長７１を調節するように構成されている。図示の実施形態では、調節機構６２は、ピストン６６、ロッド６８、およびアクチュエータ７０を含む。たとえば、アクチュエータ７０は、ピストン６６の、共振器の前後軸８２に沿った軸方向の位置を変化させるために、ロッド６８を駆動する（たとえば電気的、空圧、および／または液圧の）駆動機構またはモータを含み得る。その結果、ピストン６６は、共振器１３の管６０の中で様々な軸方向の位置を有し、それによって減衰長７１を調節する。図示の実施形態では、ピストン６６は、作動部分９６（たとえば共振器チャンバ６４）を非作動部分９８（たとえば対向したチャンバ９９）から流体絶縁するように構成されたシール９４（たとえば環状シールリング）を含む。作動部分９６はガス流れ８４を受け取ることができ、一方、非作動部分９８は、ピストン６６によってもたらされた遮断状態とシール９４によるシーリングにより、ガス流れ８４を受け取ることができない。
【００２８】
調節機構６２は、アクチュエータ７０が共振器の前後軸８２に沿ったピストン６６の軸方向運動を駆動することにより、減衰長７１を調節し得、したがって作動部分９６および非作動部分９８のそれぞれの容積を調節し得る。すなわち、調節機構６２は、ピストン６６の運動を、燃焼器１２の前後軸４２に向かう半径方向内側の第１の方向１００または燃焼器１２の前後軸４２から遠ざかる半径方向外側の第２の方向１０２に移動してよい。たとえば、アクチュエータ７０は、ロッド６８の軸方向の移動（すなわち回転のない軸方向運動）を引き起こすことができ、それによって管６０内のピストン６６の軸方向の移動を駆動する。さらなる例によれば、アクチュエータは、ロッド６８の回転（軸方向運動を伴う回転または軸方向運動を伴わない回転）を引き起こすことができ、それによって（たとえばロッド６８をねじ切リしてピストン６６のねじ付き受け口を通す一方で、軸方向のガイド機能によってピストン６６の回転を阻止することにより）管６０の中のピストン６６の軸方向運動を駆動する。さらなる例によれば、アクチュエータ７０は、壁７２の内面１０４上の対応するねじ山、隆起部、またはギア歯と係合してピストン６６の回転を駆動してよく、それによってピストン６６をねじ式で回転させて壁７２に沿って軸方向に移動させ、軸方向の位置を変化させる。起動機構６２の特定の構成に関係なく、ピストン６６は管６０の中を移動して減衰長７１を変化させ、それによって、共振器１３を置換することなく、共振器１３を調節して様々な周波数成分を減衰させる。その上、調節機構６２は、ガスタービンシステム１０の動作中に（たとえば手動調節および／またはコントローラ５２による制御によって）減衰長７１を調節することができ、それによってシステムの休止時間を短縮し、ガスタービンシステム１０のリアルタイムまたはほぼリアルタイムの調整を可能にする。
【００２９】
図示の実施形態では、共振器１３は第１の軸方向端部７８にプレート１０６を含む。プレート１０６は、共振器１３の作動部分９６に入るガス流れ８４を制限し、かつ／または絞るための穿孔１０８（たとえばオリフィス、開口、溝など）を含み得る。たとえば、プレート１０６および穿孔１０８は、第１の軸方向端部７８を通る開口の断面積を減少させ得、それによって作動部分９６に入るガス流れ８４を低減する。その上、プレート１０６の穿孔１０８は、共振器１３に入るガス流れ８４を、共振器１３に入る前に強制的に穿孔１０８に通すことにより、ガス流れ８４の粘性減衰を可能にし、共振器１３に入るガス流れ８４に対してエネルギー損をもたらす。たとえば、ガス流れ８４が共振器１３に入るとき、プレート１０６にわたる圧力降下のために、ガス流れ８４の圧力が低下する可能性がある。
【００３０】
図４は、共振器１３上に配置された調節機構６２の一実施形態の軸方向の断面図である。図示の実施形態では、調節機構６２は、アクチュエータ７０の空圧システム１１０によって共振器の前後軸８２に沿って第１の方向１００および第２の方向１０２に軸方向へ移動するように駆動されるピストン６６を含む。空圧システム１１０は、空気供給システム１１６（たとえば機器の空気システム、吸気口３０など）から非作動部分９８（たとえばチャンバ９９）へと供給空気１１４（または任意の他の適切なガス）を導くように構成された制御弁１１２を含む。非作動部分９８の供給空気１１４の圧力がピストン６６を第１の方向１００に駆動してよく、それによって減衰長７１を縮小して作動部分９６の容積を低減する。加えて、リリース弁１１８は、非作動部分９８（たとえばチャンバ９９）から供給空気１１４を選択的に放出して、チャンバ９９の中のガス（たとえば空気）の圧力に打ち勝つように、たとえばガス流れ８４の圧力が共振器チャンバ６４に入るのを可能にすることによって、ピストン６６の第２の方向１０２の運動を可能にするように構成されてよい。図示の実施形態では、コントローラ５２は、制御弁１１２に信号を送って、開いて供給空気１１４が非作動部分９８に入るのを可能にするように命令してよい。その上、コントローラ５２は、リリース弁１１８に信号を送って、ピストン６６の第２の方向１０２の運動を可能にするために、開いて非作動部分９８の圧力を下げるように命令してよい。したがって、コントローラ５２は、制御弁１１２およびリリース弁１１８に信号を送ってピストン６６の軸方向の位置を調節してよい。その結果、共振器１３は、動作条件（たとえば燃料組成、周囲温度など）の変更、ガスタービンシステム１０における徐々の劣化および磨耗、ならびにガスタービンシステム１０の共振周波数における様々な変化のために調節するように、ガスタービンシステム１０の動作前、動作中、および／または動作後に（たとえば保守整備中に）調整可能であり得る。
【００３１】
図５は、共振器１３上に配置された調節機構６２の一実施形態の軸方向の断面図である。図示の実施形態では、調節機構６２は、第２のギア１２４（たとえば円形のギア）と相互接続する第１のギア１２２（たとえば長いギアまたはギア付きシャフト６８）を有するギアセット１２０を含む。アクチュエータ７０（たとえばモータまたは駆動機構１３０）が第２のギア１２４の回転を駆動するとき、第２のギア１２４のギア歯１２６が第１のギア１２２のギア歯１２８と係合して第２のギア１２４の回転運動を第１のギア１２２の運動へと転換し、それによってピストン６６を管６０に沿って移動させて減衰長７１を変化させる。
【００３２】
たとえば、ギアセット１２０はラックアンドピニオンギアセットでよく、第１のギア１２２は直線状のギア棒すなわちラックであり、第２のギア１２４は円形のギアすなわちピニオンである。したがって、アクチュエータ７０（たとえばモータまたは駆動機構１３０）がピニオン１２４の回転を駆動するとき、ピニオン１２４のギア歯１２６がラック１２２のギア歯（またはねじ山）１２８と係合してピニオン１２４の回転運動をラック１２２したがってピストン６６の軸方向運動へと転換する。
【００３３】
さらなる例によれば、ギアセット１２０はウォームギアセットでよく、第１のギア１２２はウォーム（たとえば長いねじ付きウォーム軸６８）であり、第２のギア１２４はウォームギアである。したがって、アクチュエータ７０（たとえばモータまたは駆動機構１３０）がウォームギア１２４の回転を駆動するとき、ウォーム１２４のギア歯１２６がウォーム１２２のギア歯（またはねじ山）１２８と係合してウォームギア１２４の回転運動をウォーム１２２したがってピストン６６の運動へと転換する。たとえば、ウォームギア１２４はウォーム１２２の回転を駆動してよく、それによってピストン６６のねじ付き穴の中でねじ山が回転してピストン６６の軸方向に移動させ、すなわち内面１０４に沿ったねじ付き接合面に沿ったピストン６６、または別の適切な構成を回転させる。さらなる例によれば、ウォームギア１２４は、ウォーム１２２の軸方向運動を駆動してよく、それによってピストン６６の軸方向移動を駆動する。
【００３４】
その結果、ピストン６６が、アクチュエータ７０（たとえば駆動機構１３０）によるギアセット１２０の起動に応答して、第１の方向１００および第２の方向１０２に移動し得る。上記の議論に類似して、駆動機構１３０は、電気的、空圧、および／または液圧の駆動機構またはモータを含み得る。示されるように、ギア１２４は共振器１３の壁７２に結合されてよい。しかしながら、他の実施形態では、ギア１２４は、燃焼器１２の側壁７４に結合された個別のハウジングを含み得る。前述のように、コントローラ５２は、調節機構６２に信号を送って、減衰長７１を変化させるように命令してよい。
【００３５】
図６は、共振器１３上に配置された調節機構６２の一実施形態の軸方向の断面図である。図示の実施形態では、調節機構は、バイアス部材１３２（たとえば機械ばね、互いに磁気的に反発する対向した磁石、圧縮性の流体、またはそれらの任意の組合せ）および圧縮部材１３４（たとえば２次ピストン）を含む。バイアス部材１３２は、ピストン６６を、燃焼器１２の前後軸４２に向けて半径方向内側へ、第１の方向１００に駆動するように構成されている。図示の実施形態では、バイアス部材１３２は、対向する力によるばねの長さの変化に対して実質的に比例する力を返すように構成されたばね定数を有するばねを含む。たとえば、ばね定数は、燃焼器１２の予期された動作圧に基づいて特に選択された減衰長７１を形成するために、ばね１３２による圧縮を可能にし、したがってピストン６６の第２の方向１０２の移動を可能にするように特に選択されてよい。加えて、アクチュエータ７０は、（たとえば様々な軸方向の位置へ移動される）圧縮部材１３４を移動させてバイアス部材１３２にプレテンションをかけるように制御されてよく、したがって、ピストン６６（たとえば浮動ピストンまたはばねでバイアスをかけられたピストン）の第２の方向１０２における合計の移動を制限する。たとえば、アクチュエータ７０は、圧縮部材１３４を第１の方向１００および／または第２の方向１０２に移動させて非作動部分９８の容積を変更するように制御されてよい。その結果、圧縮部材１３４の位置、バイアス部材１３２のばね定数、および／または燃焼器１２の動作圧によって減衰長７１が制御され得る。特定の実施形態では、コントローラ５２は、アクチュエータ７０に対して通信で結合されて圧縮部材１３４の移動を制御してよく、圧縮部材１３４、ピストン６６、またはその両方に関連した１つまたは複数のセンサ１３６に結合されてよい。たとえば、センサ１３６は、チャンバ６４および／または９９の圧力、圧縮部材１３４および／またはピストン６６の位置、またはそれらの任意の組合せを監視してよい。位置フィードバックおよび／または圧力フィードバックにより、コントローラ５２は、アクチュエータ７０を介して、圧縮部材１３４および／またはピストン６６の位置を、より正確に制御することが可能になり得る。
【００３６】
図７は、共振器１３の減衰長７１を制御する方法１４０の一実施形態の流れ図である。前述のように、共振器１３によって減衰される周波数成分を調節するために、共振器１３の減衰長７１が変化され得る。その結果、第１の軸方向端部７８（たとえば開放端）経由で共振器１３に流れ込むガス流れ８４の様々な周波数成分が、ガスタービンシステム１０の動作前、動作中、および／または動作後に減衰され得る。初期減衰長７１はブロック１４２において決定される。たとえば、初期減衰長７１は、燃焼器１２を通るガス流れ８４の予期される動作条件および／または周波数成分に基づいて特に選択されてよい。ブロック１４４において、コントローラ５２から第１の制御信号が調節機構６２に伝送される。たとえば、オペレータは、ガスタービンシステム１０の以前の動作サイクルに基づいて事前設定の初期減衰長７１を入力してよい。コントローラ５２は、調節機構６２に第１の制御信号を伝送して、ピストン６６を移動させて共振器１３内の初期減衰長７１を確立するように命令してよい。ブロック１４６において、調節機構６２によって第１の制御信号が受け取られる。前述のように、調節機構６２がコントローラ５２から受け取った命令を始動することができるように、調節機構６２は、コントローラ５２に対して通信で結合されてよい。たとえば、ピストン６６を初期減衰長７１に設定する命令を受け取ると、調節機構６２のアクチュエータ７０は、ピストン６６を第１の方向１００に駆動してよい。ブロック１４８において、コントローラ５２は、センサ４８、５０から作動入力を受け取ってよい。たとえば、振動センサ５０は、コントローラ５２に対して、燃焼器１２の望ましくない振動（たとえば燃料ノズル１６の振動、燃焼器１２の軸方向長３６に沿った振動など）を示す信号を伝送してよい。ブロック１５０において、コントローラ５２は、調節機構６２に対して第２の制御信号を伝送してよい。たとえば、第２の制御信号は、センサ４８、５０から受け取った信号に基づいて減衰長７１を変化させるための命令でよい。ブロック１５２において、調節機構６２は第２の制御信号を受け取ってよい。たとえば、調節機構６２のアクチュエータ７０は、ピストン６６の第２の方向１０２への移動を駆動して減衰長７１を動作長に調節し、それによって減衰され得る周波数成分を調節してよい。その結果、共振器１３は、ガスタービンシステム１０の動作前および／または動作中に調整され得る。
【００３７】
上記で詳細に説明されたように、ガスタービンシステム１０は、燃焼器１２を通って進むガス流れ８４の周波数成分を減衰させるように燃焼器１２上に配置された共振器１３を含み得る。たとえば、共振器１３は、燃焼器１２の周方向の軸４６に沿って周方向に配置されてよく、かつ／または燃焼器１２の軸方向長３６に沿って軸方向に配置されてよい。特定の実施形態では、共振器１３は、共振器１３の減衰長７１に関連したガス流れ８４の周波数成分を減衰させるように構成されてよい。たとえば、特定の実施形態では、共振器１３は、共振器１３を作動部分９６と非作動部分９８に分離するように構成されたピストン６６を含み得る。作動部分９６はガス流れ８４を受け取り、非作動部分９８は受け取らない。その上、ピストン６６は共振器の前後軸８２に沿って移動することができ、燃焼器１２の動作前、動作中、および／または動作後における減衰長７１の調節を可能にする。たとえば、共振器１３に含まれ得る調節機構７０は、共振器１３内のピストン６６を移動させ、それによって減衰長７１を調節するように構成されている。さらに、調節機構７０は、コントローラ５２から、所望の減衰長を設定するための命令を受け取ってよい。その上、減衰長７１は、ガスタービンシステム１０の全体にわたって配分されたセンサ４８、５０から受け取られた動作パラメータに基づいて調節されてよい。したがって、燃焼器１２は、排出の安定化、燃焼ダイナミクスの低減、燃焼状態の安定化などのために、動作前、動作中、および／または動作後に調整され得る。
【００３８】
この書面による説明は、最善の様式を含めて本開示の様々な実施形態を開示するために、また、あらゆる当業者が、あらゆる装置またはシステムを製作して使用すること、ならびにあらゆる具体化された方法を実行することを含めて本開示を実施することも可能にするために、例を用いている。本開示が特許権を受けられる範囲は、特許請求の範囲によって規定され、当業者に想起される他の例を含み得る。そのような他の例は、それらが特許請求の範囲の文字通りの言葉と異ならない構造要素を有する場合、またはそれらが特許請求の範囲の文字通りの言葉との実質のない相違点を有する同等な構造要素を含む場合には、特許請求の範囲に入るように意図されている。
【符号の説明】
【００３９】
１０  ガスタービンシステム、タービンシステム
１１  共振減衰システム
１２  燃焼器
１３  共振器、可調共振器
１３Ａ  共振器
１３Ｂ  共振器
１３Ｃ  共振器
１３Ｄ  共振器
１４  ヘッド側部分
１５  燃焼部分、燃焼器部分
１６  燃料ノズル
１７  燃焼室
１８  燃料
２０  燃料通路
２２  タービン部分、タービン
２４  排気口
２６  シャフト
２８  圧縮機部分、圧縮機
３０  吸気口
３１  負荷
３２  流路
３３  ヘッド側チャンバ
３４  第１の壁
３５  流路、燃焼器１２の壁、第２の壁、壁
３６  燃焼器１２の軸方向長
３８  第１の軸方向端部
４０  第２の軸方向端部
４２  燃焼器１２の軸方向、燃焼器１２の前後軸、前後軸
４４  燃焼器１２の半径方向、軸
４６  燃焼器１２の周方向の軸
４８  センサ
５０  振動センサ、センサ
５２  コントローラ
５４  記憶装置
５６  プロセッサ
５８  燃焼器１２の周囲
６０  共振器管
６２  調節機構、駆動機構
６４  共振器チャンバ、チャンバ
６６  ピストン
６８  駆動軸、ロッド、ギア付きシャフト、長いねじ付きウォーム軸
７０  アクチュエータ、調節機構
７１  共振器チャンバ６４の減衰長、減衰長、長いねじ付きウォーム軸、初期減衰長
７２  壁
７４  側壁
７６  円筒部長さ
７８  第１の軸方向端部
８０  第２の軸方向端部
８２  共振器の前後軸
８４  ガス流れ
９４  シール
９６  作動部分
９８  非作動部分
９９  チャンバ
１００  第１の方向
１０２  第２の方向
１０４  内面
１０６  プレート
１０８  穿孔
１１０  空圧システム
１１２  制御弁
１１４  供給空気
１１６  空気供給システム
１１８  リリース弁
１２０  ギアセット
１２２  第１のギア、ラック、ウォーム
１２４  第２のギア、ピニオン、ウォームギア、ウォーム、ギア
１２６  ギア歯
１２８  ギア歯
１３０  駆動機構
１３２  バイアス部材、ばね
１３４  圧縮部材
１３６  センサ
１４０  方法
１４２  ブロック
１４４  ブロック
１４６  ブロック
１４８  ブロック
１５０  ブロック
１５２  ブロック
【図１】
2016200386.tif 000003
【図２】
2016200386.tif 000004
【図３】
2016200386.tif 000005
【図４】
2016200386.tif 000006
【図５】
2016200386.tif 000007
【図６】
2016200386.tif 000008
【図７】
2016200386.tif 000009
【外国語明細書】
2016200386000001.pdf